(57)【要約】【課題】  強度的に優れたディスク装置であって、なお且つ、製造工程における組み付けや調整の容易さ、保守・修理における作業のしやすさ及び安全性を備え、さらにコストの削減も図られたディスク装置の提供。【解決手段】  クランパー４１を備え、且つ、少なくとも光ピックアップによって照射されるレーザ光の照射範囲が覆われる面積を有する基板１２を、ディスク装置１を構成するフレーム１１にネジ止めなどにより固定することにより、ディスク装置１の強度、安全性及び、作業性の向上を図る。【選択図】      図１
2005235252.tif 000002
【特許請求の範囲】
【請求項１】
ディスク媒体を回転駆動するターンテーブルと、このターンテーブルとの間でディスク媒体を挟持するためのクランパーと、ディスク装置を制御する基板と、これら構成部品を組付けるフレームとを備えたディスク装置であって、前記基板に前記クランパーが備えられたことを特徴とする基板にクランパーを備えたディスク装置。
【請求項２】
前記基板にクランパーを支持するための支持孔を設け、当該支持孔にクランパーが備えられたことを特徴とする請求項１記載の基板にクランパーを備えたディスク装置。
【請求項３】
ディスク装置を構成するフレームの一方又は両方の側壁の上端部に、前記クランパーを備えた基板に設けた取付孔と嵌合させるための突起を１つ又は複数設け、前記フレームの他方又は両方の側壁の上端部に、前記クランパーを備えた基板をねじ止めするためのねじ止め孔を１つ又は複数設けることにより、前記クランパーを備えた基板を当該ディスク装置に取り付けたことを特徴とする請求項１または請求項２記載の基板にクランパーを備えたディスク装置。
【請求項４】
前記クランパーを備えた基板によって、少なくとも光ピックアップによって照射されるレーザ光の照射範囲が覆われていることを特徴とする請求項１乃至請求項３のいずれか１つに記載の基板にクランパーを備えたディスク装置。
【発明の詳細な説明】
【技術分野】
【０００１】
本発明は、光ディスクの再生・録画を行うディスク装置であって、ターンテーブルとの間でディスク媒体を挟持するためのクランパーを基板に設けた、基板にクランパーを備えたディスク装置に関するものである。
【背景技術】
【０００２】
近年、ディスク装置は、ユーザーの種々のニーズに対応して、ＤＶＤプレーヤやＣＤプレーヤ等に限られず、テレビジョン受像機本体にも内蔵されるなど、その使用範囲は広範囲に及んでいる。又、これらの電子機器等は年々小型化や薄型化が進んでいる。
【０００３】
このような小型化や薄型化が図られた電子機器等の内部においては空間的な余裕がなく、種々の装置や部品が高密度で装着されることとなり、製造工程における装置や部品の組み付けや調整、及び、保守・修理における作業性は低下する傾向にある。従って、当該電子機器等に内蔵されるディスク装置には、小型化の要請と共に、製造工程における組み付けや調整の容易さ、保守・修理における作業のしやすさ及び安全性なども求められている。
【０００４】
装置の構造の簡単化・部品点数の削除などにより、製造工程における組み付けや調整の容易さ、保守・修理における作業のしやすさ、及び、製品のコスト削減などの要請に応じようとするものがあり、これに関する従来技術が特許文献１によって開示されている。
【０００５】
また、ディスク装置の修理などのサービスチェック時に、容易にディスク装置の検査を行えるようにした従来技術が特許文献２によって開示されており、ディスク装置を内蔵した電子機器等の製造時の組み立てを容易とする従来技術が特許文献３によって開示されている。
【０００６】
【特許文献１】特開２００３−５９１５４号公報
【特許文献２】特開平７−２７２４７４号公報
【特許文献３】特開平１０−３３４６４３号公報
【発明の開示】
【発明が解決しようとする課題】
【０００７】
特許文献１または特許文献２で開示される従来技術では、修理などのサービスチェック時には、ディスク装置を電子機器などから外し、ディスク装置を傾けることによってディスク装置の裏面側を露呈させる必要があり、且つ、ディスク装置を傾けたまま覗き込むようにして、作業を行わなければならず、作業が非常に煩雑であった。
【０００８】
また、ディスク装置を構成するフレームは、通常、樹脂による一体成形によるものであって概ね箱型形状をしているものであるが、フレームの前面部分はディスク媒体の出し入れのために開口している必要がある上に、上面部分も、クランパーを支持するための支持部を有するのみであるのが一般的であり、構造的に開放部分が多く、必ずしも強度的に十分であるとはいえなかった。従って、熱や外部からの力が加わった場合には、ディスク装置に歪みや捩じれが生じる憂いがあり、ディスク装置に歪みや捩じれが生じてしまうと当該装置の正常動作が行われなくなるといった問題があった。近年電子機器の小型化・薄型化が進む中で、電子機器内部には熱を発生する部品・装置が密集して設けられることとなり、従って、それぞれの部品の重量や熱も集中して加わるため、前記した問題はより顕著となる傾向にある。
【０００９】
本発明は上述した問題点に鑑みてなされたものであり、強度的に優れたディスク装置であって、なお且つ、製造工程における組み付けや調整の容易さ、保守・修理における作業のしやすさ及び安全性を備え、さらにコストの削減も図られた、基板にクランパーを備えたディスク装置を提供することを目的とする。
【課題を解決するための手段】
【００１０】
請求項１の基板にクランパーを備えたディスク装置は、ディスク媒体を回転駆動するターンテーブルと、このターンテーブルとの間でディスク媒体を挟持するためのクランパーと、ディスク装置を制御する基板と、これら構成部品を組付けるフレームとを備えたディスク装置であって、前記基板に前記クランパーが備えられたことを特徴とする。
【００１１】
上記構成によれば、クランパーが基板によって保持されるため、別途クランパーを支持するための機構を設ける必要がない。
【００１２】
請求項２の基板にクランパーを備えたディスク装置は、請求項１記載の基板にクランパーを備えたディスク装置であって、前記基板にクランパーを支持するための支持孔を設け、当該支持孔にクランパーが備えられたことを特徴とする。
【００１３】
上記構成によれば、基板に支持孔を設けるという簡単な構成により、基板でクランパーを保持することができる。
【００１４】
請求項３の基板にクランパーを備えたディスク装置は、請求項１または請求項２記載の基板にクランパーを備えたディスク装置であって、ディスク装置を構成するフレームの一方又は両方の側壁の上端部に、前記クランパーを備えた基板に設けた取付孔と嵌合させるための突起を１つ又は複数設け、前記フレームの他方又は両方の側壁の上端部に、前記クランパーを備えた基板をねじ止めするためのねじ止め孔を１つ又は複数設けることにより、前記クランパーを備えた基板を当該ディスク装置に取り付けたことを特徴とする。
【００１５】
上記構成によれば、クランパーを備えた基板に設けたフレームと接合するための孔と、フレームの側壁の上端部に設けられた突起を嵌合することで、ディスク装置に対する基板の位置決めが正確になされ、さらにネジ止めされることにより、基板がフレームに強固に固定される。
【００１６】
請求項４の基板にクランパーを備えたディスク装置は、請求項１乃至請求項３のいずれか１つに記載の基板にクランパーを備えたディスク装置であって、前記クランパーを備えた基板によって、少なくとも光ピックアップによって照射されるレーザ光の照射範囲が覆われていることを特徴とする。
【００１７】
上記構成によれば、光ピックアップによって照射されるレーザ光は基板によって遮られ、ディスク装置の外部を直接照射することがない。
【発明の効果】
【００１８】
本発明の請求項１の、ディスク媒体を回転駆動するターンテーブルと、このターンテーブルとの間でディスク媒体を挟持するためのクランパーと、ディスク装置を制御する基板と、これら構成部品を組付けるフレームとを備えたディスク装置であって、基板に前記クランパーが備えられたことを特徴とする基板にクランパーを備えたディスク装置によれば、クランパーが基板によって保持されるため、ディスク装置を構成するフレームの上面部に、クランパーを支持するためのクランパー支持部を設ける必要がなく、フレームの上面部を
開放状態とすることができる。従って、フレームを成形する金型形状が簡略化され、コストの削減がなされる。さらに、フレームの上面部が開放状態であるため、当該ディスク装置の製造工程においてトラバースユニット等をディスク装置に取付ける際にディスク装置の上部から容易に取付け作業を行うことができ、作業性が向上されると共に、作業工程に柔軟性を持たせることができる。また、修理・メンテナンスの際にも、基板がディスク装置の上部にあるため作業が非常に容易であり、且つ、基板を取り外すことによって同時にクランパーも取り外すことができ、ディスク装置の上面部が開放状態となるため、ディスク装置内部の部品の交換なども、ディスク装置本体を当該ディスク装置が内蔵される電子機器等から取り外すことなく、容易に行うことができ、作業時間の大幅な短縮が図られる。
【００１９】
本発明の請求項２の、前記基板にクランパーを支持するための支持孔を設け、当該支持孔にクランパーが備えられたことを特徴とする請求項１記載の基板にクランパーを備えたディスク装置によれば、クランパー自体は従来存在するものをそのまま利用することもでき、基板に支持孔を設けるという簡単な構成のみにより「クランパーを備える基板」を実現できるため低コストである。加えて、クランパー支持部をフレームと一体成形したものと比較して、クランパーを取付ける作業も容易である。
【００２０】
本発明の請求項３の、ディスク装置を構成するフレームの一方又は両方の側壁の上端部に、前記クランパーを備えた基板に設けた取付孔と嵌合させるための突起を１つ又は複数設け、前記フレームの他方又は両方の側壁の上端部に、前記クランパーを備えた基板をねじ止めするためのねじ止め孔を１つ又は複数設けることにより、前記クランパーを備えた基板を当該ディスク装置に取り付けることを特徴とする請求項１または請求項２記載の基板にクランパーを備えたディスク装置によれば、クランパーを備えた基板に設けたフレームと接合するための孔とフレームの側壁の上端部に設けられた突起を嵌合することで基板の位置決めが正確になされると共に、ネジ止めされることにより基板がフレームに強固に固定される。よって、当該ディスク装置は、フレームと基板によって開放部分の少ない一体構造となるため強度が向上し、撓みや捻れによる装置の動作不良が発生することを防止することができる。さらに、撓みや捻れが少ないため、可動部などにおける遊び部分を最小限にすることができ、装置を可及的に小型化することができる。また、基板に設けた孔と嵌合させるための突起と、基板をねじ止めするためのねじ止め孔との組合せによっては、１本のねじのみによって、容易に制御基板の取り付けが行えるようにすることもできるため、作業工数及びコストの削減が図られる。
【００２１】
本発明の請求項４の、前記クランパーを備えた基板によって、少なくとも光ピックアップによって照射されるレーザ光の照射範囲が覆われていることを特徴とする請求項１乃至請求項３のいずれか１つに記載の基板にクランパーを備えたディスク装置によれば、光ピックアップによって照射されるレーザ光は基板によって遮られ、ディスク装置の外部を直接照射することがないため、検査・修理の作業中などに、作業者が誤ってレーザ光を直視してしまうといった事故を有効に防止できる。また、光ピックアップは基板によって覆われることとなるため、ピックアップの光学ヘッドの防塵も図られる。
【発明を実施するための最良の形態】
【００２２】
以下、本発明の具体的実施例について、図面を参照しながら説明する。なお、以下の実施態様は、本発明を具体化する際の一形態であって、本発明をその範囲内に限定するためのものではない。
【００２３】
図１は本実施例の基板にクランパーを備えたディスク装置の斜視図であり、図２は同平面図、図３は基板１２がない状態の平面図である。図４は本実施例の基板にクランパーを備えたディスク装置の一部を分解した斜視図、図５は本実施例の基板にクランパーを備えたディスク装置を備えた電子機器の一例であるＤＶＤプレーヤの斜視図である。図６はディスク装置の従来例の１つを示す斜視図、図７は同平面図である。
【００２４】
基板にクランパーを備えたディスク装置１（以下単にディスク装置１）には、図１に示されるように、基板１２が、全体が概ね樹脂製のフレーム１１の上部に配置され、ディスクを載置するためのトレイ１３はフレーム１１に対して摺動可能に設けられている。さらに図２・図３に示されるように、ディスク装置１には、光ピックアップ３１及び光ピックアップ送り機構３２等が備えられ、ターンテーブル２２及びターンテーブル２２の下にはターンテーブル２２を回転させるスピンドルモータ（図示せず）等が備えられる。なお、本実施例における基板１２は、ディスク装置１の光ピックアップ送り機構３２若しくはスピンドルモータ等の制御又は光ピックアップ３１から入出力される信号の制御などを行う基板であり、ターンテーブル２２の表面には、クランパー４１に備えられる磁石４３との間でディスク媒体を挟持するために、磁性体が取付けられる。
【００２５】
図４に示されるように、フレーム１１の双方の側壁の上端部には基板１２に設けられた取付孔１２ａ・１２ｂと嵌合させるための突起１１０ａ・１１０ｂが設けられ、さらに、制御基板１２を、取付孔１２ｃ・１２ｄを通じてねじ止めするためのねじ止め孔１１０ｃ・１１０ｄが設けられる。又、クランパー４１は、磁石４３が載置された上で、基板１２の支持孔１２ｈに挿通されクランパカバー４２を取り付けられることによって基板１２に遊嵌される。
【００２６】
上記した構成により、基板１２に設けられた取付孔１２ａ・１２ｂとフレームの側壁の上端部に設けられた突起１１０ａ・１１０ｂとを嵌合させることで基板１２のディスク装置１に対する位置決めが正確になされると共に、取付孔１２ｃ・１２ｄを通じてねじ４５によってねじ止めすることにより、基板１２をフレーム１１に強固に固定することができる。従って、ディスク装置１はフレーム１１及び基板１２によって開放部分の少ない一体構造となるため剛性が高く、撓みや捻れによる装置の動作不良が発生することを防止することができる。さらに、撓みや捻れが少ないため、可動部などにおける遊び部分を最小限にすることができ、当該ディスク装置１を可及的に小型化することができる。又、クランパー４１・クランパカバー４２・磁石４３といった構成部品は、従来存在するものをそのまま使用できるため、汎用性が高い。
【００２７】
図６及び図７に示されるごとく、従来のディスク装置６０では、クランパー６１を支持するためのクランパー支持部６２ａがフレーム６２と一体成形されており、当該ディスク装置６０の製造時に当該ディスク装置６０に対して、クランパー６１を取付ける作業や、トラバースユニット７０を取付ける作業は決して良好なものであるとはいえなかった。又、修理・メンテナンスの際にも、同様の理由で煩雑な作業を要していた。
【００２８】
一方、本実施例のディスク装置１によれば、図３及び図４に示されるごとく、基板１２をディスク装置１に取付けていない状態では、ディスク装置１の上面は開放状態となるため、当該ディスク装置１の製造工程において、光ピックアップ３１・光ピックアップ送り機構３２・ターンテーブル２２などが備えられるトラバースユニット３０等をディスク装置１に取付ける際にディスク装置１の上部から容易に作業することができ、作業性が向上されると共に、作業工程に柔軟性を持たせることもできる。また、修理・メンテナンスの際にも、基板１２がディスク装置１の上部にあるため作業が非常に容易であり、且つ、基板１２を取り外すことによってディスク装置１の上面部が開放状態となるため、ディスク装置１内部に備えられる部品の交換なども、ディスク装置１本体を当該ディスク装置が内蔵される電子機器（例えばＤＶＤプレーヤ５０のシャーシ）から取り外すことなく、容易に行うことができ、作業工程・時間の大幅な短縮化が図られる。
【００２９】
さらに、図２に示されるように、基板１２は、光ピックアップ３１によって照射されるレーザ光の照射範囲２３を覆う面積を有するため、作業者が誤ってレーザ光を直視してしまうといった事故を有効に防止できる。特に、記録型のディスク装置においてはレーザの出力が高く危険であると共に、近年では、記録速度の倍速化のため、さらにレーザの出力が高くなる傾向にあるため、このように、レーザがディスク装置の外部を直接照射しないようにすることは有効且つ必要なものである。また、基板１２によって覆われているため、光ピックアップ３１の防塵化も同時に図られる。
【００３０】
本実施例では、トレイタイプのディスク装置について説明したが、本発明をこれに限るものではなく、搬入ローラーによりディスクを装置内へ挿入するスロットインタイプのディスク装置や、複数のディスクを装置内に収納可能なチェンジャータイプのディスク装置などに対しても適用できる。
【図面の簡単な説明】
【００３１】
【図１】実施例１の基板にクランパーを備えたディスク装置の斜視図
【図２】実施例１の基板にクランパーを備えたディスク装置の平面図
【図３】図２の基板１２がない状態の平面図
【図４】実施例１の基板にクランパーを備えたディスク装置の一部を分解した斜視図
【図５】実施例１の基板にクランパーを備えたディスク装置を備えた電子機器の一例であるＤＶＤプレーヤの斜視図
【図６】ディスク装置の従来例の１つを示す斜視図
【図７】ディスク装置の従来例の１つを示す平面図
【符号の説明】
【００３２】
１      基板にクランパーを備えたディスク装置
１１    フレーム
１２    基板
１２ａ・１２ｂ・１２ｃ・１２ｄ  取付孔
１２ｈ  支持孔
２２    ターンテーブル
２３    レーザ光の照射範囲
３０    トラバースユニット
３１    光ピックアップ
３２    光ピックアップ送り機構
４１    クランパー
４２    クランパカバー
４３    磁石
１１０ａ・１１０ｂ  突起
１１０ｃ・１１０ｄ  ネジ止め孔
【図１】
2005235252.tif 000003
【図２】
2005235252.tif 000004
【図３】
2005235252.tif 000005
【図４】
2005235252.tif 000006
【図５】
2005235252.tif 000007
【図６】
2005235252.tif 000008
【図７】
2005235252.tif 000009